(57)【要約】【課題】検査現場にて速やかに不具合の内容を入力できるようにする技術を提供する。【解決手段】表示領域が第１表示領域と第２表示領域とに分割された画面を表示する表示部１０１を有する携帯端末１００であって、第１表示領域には、図面が表示され、図面がタッチ操作を受け付けることで、不具合が存在する位置である不具合位置の入力を受け付け、第２表示領域は、図面にてタッチ操作を受け付けた不具合位置ごとに対応する不具合の内容の入力を受け付ける。【選択図】図１
2015011519.tif 000002
【特許請求の範囲】
【請求項１】
表示領域が第１表示領域と第２表示領域とに分割された画面を表示する表示部を有する携帯端末であって、
前記第１表示領域には、図面が表示され、前記図面がタッチ操作を受け付けることで、不具合が存在する位置である不具合位置の入力を受け付け、
前記第２表示領域は、前記図面にてタッチ操作を受け付けた前記不具合位置ごとに対応する前記不具合の内容の入力を受け付ける、携帯端末。
【請求項２】
請求項１に記載の携帯端末において、
前記不具合の内容は複数の要素の組合せからなり、
前記不具合の内容を構成する前記要素の入力を一つずつ順番に受け付けることで、前記不具合の内容の入力を受け付ける、携帯端末。
【請求項３】
請求項２に記載の携帯端末において、
前記図面がタッチ操作を受け付けた後に、前記第２表示領域には、前記要素の入力候補である複数の項目がリスト表示され、タッチ操作を受け付けた前記項目を前記要素の入力として受け付け、前記要素の入力を受け付け後、次に入力を受け付ける前記要素の入力候補である複数の前記項目がリスト表示される、携帯端末。
【請求項４】
請求項３に記載の携帯端末において、
入力を受け付けた前記要素と、次に入力を受け付ける前記要素の入力候補とを対応付けて記憶する、携帯端末。
【請求項５】
請求項１〜４のいずれか一項に記載の携帯端末において、
前記表示部は、前記不具合位置を識別するための番号と、前記番号から前記不具合位置まで伸びる直線とを前記第１表示領域に表示する、携帯端末。
【請求項６】
請求項１〜５のいずれか一項に記載の携帯端末において、
前記表示部は、前記第１表示領域であって前記図面の外周を囲う領域である番号表示領域に前記番号を表示する、携帯端末。
【請求項７】
請求項５または６に記載の携帯端末において、
前記表示部は、前記不具合位置から前記番号表示領域までの距離が最短であって、他の番号が表示されていない領域を抽出し、抽出した前記領域に前記番号を表示する、携帯端末。
【請求項８】
請求項１〜７のいずれか一項に記載の携帯端末において、
前記表示部は、前記第２表示領域に前記番号と前記不具合の内容とを対応付けて表示する、携帯端末。
【請求項９】
請求項１〜８のいずれか一項に記載の携帯端末において、
前記表示部は、所定数未満の数の前記不具合位置の前記番号を一度に表示し、所定数を超えた以降に入力を受け付けた場合、表示切替ボタンを表示し、前記表示切替ボタンが操作を受け付けた場合、前記所定数を超えた以降に入力を受け付けた前記不具合位置の前記番号を表示する、携帯端末。
【請求項１０】
請求項８に記載の携帯端末において、
前記表示部は、前記番号とカスタマイズ後の前記不具合の内容とを対応付けて表示する、携帯端末。
【請求項１１】
請求項１〜１０のいずれか一項に記載の携帯端末において、
前記表示部は、前記不具合が存在する領域の入力を受け付ける、携帯端末。
【請求項１２】
請求項２〜１１のいずれか一項に記載の携帯端末において、
手書きでの入力を受け付け、テキスト変換した結果を前記要素の入力として受け付ける、携帯端末。
【請求項１３】
請求項１〜１２のいずれか一項に記載の携帯端末において、前記図面は、部屋の間取り図である、携帯端末。
【請求項１４】
請求項１〜１２のいずれか一項に記載の携帯端末において、前記図面は、現場平面図である、携帯端末。
【請求項１５】
請求項１〜１２のいずれか一項に記載の携帯端末において、
前記表示部は、所定の操作を受け付けることで、新たに検査する部屋番号の選択を受け付ける部屋番号選択画面を表示する、携帯端末。
【請求項１６】
表示領域が第１表示領域と第２表示領域とに分割された画面を表示する表示部を有する携帯端末における検査結果入力方法であって、
前記表示部により、前記第１表示領域に表示された図面がタッチ操作を受け付けることで、不具合が存在する位置である不具合位置の入力を受け付ける不具合位置入力ステップと、
前記表示部により、前記第２表示領域から前記不具合位置ごとの対応する前記不具合の内容の入力を受け付ける不具合内容入力ステップと、を有する、検査結果入力方法。
【請求項１７】
表示領域が第１表示領域と第２表示領域とに分割された画面を表示する表示部を有する携帯端末のコンピュータを機能させるための検査結果入力プログラムであって、
前記表示部により、前記第１表示領域に表示された図面がタッチ操作を受け付けることで、不具合が存在する位置である不具合位置の入力を受け付ける不具合位置入力ステップと、
前記表示部により、前記第２表示領域から前記不具合位置ごとの対応する前記不具合の内容の入力を受け付ける不具合内容入力ステップと、を前記コンピュータに実行させる、検査結果入力プログラム。
【請求項１８】
携帯端末と、事務所端末と、前記携帯端末および前記事務所端末とネットワークを介して接続されるサーバと、を有する検査結果表示システムであって、
前記携帯端末は、表示領域が第１表示領域と第２表示領域とに分割された画面を表示する表示部を有し、前記第１表示領域には、図面が表示され、前記図面がタッチ操作を受け付けることで、不具合が存在する位置である不具合位置の入力を受け付け、前記第２表示領域は、前記図面にてタッチ操作を受け付けた前記不具合位置ごとに対応する前記不具合の内容の入力を受け付け、前記不具合位置が示された前記図面を表示するための画像データと前記不具合位置ごとの前記不具合の内容とを前記サーバに送信し、
前記サーバは、受信した前記画像データと前記不具合位置ごとの不具合の内容とを対応付けて記憶する検査結果記憶部を有し、前記事務所端末から要求があった場合、前記検査結果記憶部から取得した前記画像データと前記不具合位置ごとの前記不具合の内容とを前記事務所端末に送信し、
前記事務所端末は、前記サーバから受信した前記画像データと前記不具合位置ごとの前記不具合の内容とに基づき、前記不具合位置が示された前記図面とともに前記不具合位置ごとの前記不具合の内容と表示する、検査結果表示システム。
【請求項１９】
携帯端末と、事務所端末と、前記携帯端末および前記事務所端末とネットワークを介して接続されるサーバと、を有する検査結果表示システムであって、
前記携帯端末は、表示領域が第１表示領域と第２表示領域とに分割された画面を表示する表示部を有し、前記第１表示領域には、図面が表示され、前記図面がタッチ操作を受け付けることで、不具合が存在する位置である不具合位置の入力を受け付け、前記第２表示領域は、前記図面にてタッチ操作を受け付けた前記不具合位置ごとに対応する前記不具合の内容の入力を受け付け、前記不具合位置の座標と前記不具合位置ごとの前記不具合の内容とを前記サーバに送信し、
前記サーバは、受信した前記座標と前記不具合位置ごとの不具合の内容と図面とを対応付けて記憶する検査結果記憶部を有し、前記事務所端末から要求があった場合、前記検査結果記憶部から取得した前記座標と前記不具合位置ごとの前記不具合の内容とを前記図面に表示する画像データを前記事務所端末に送信し、
前記事務所端末は、前記サーバから受信した前記画像データに基づき、前記不具合位置が示された前記図面とともに前記不具合位置ごとの前記不具合の内容を表示する、検査結果表示システム。
【請求項２０】
請求項１９に記載の検査結果表示システムにおいて、
前記サーバは、受信した不具合位置から図面の外枠までの最短距離を算出し、算出した前記最短距離に基づき図面の外枠の一の座標を番号の座標として決定し、不具合位置から前記番号まで伸びる直線を生成し、前記不具合位置ごとの前記不具合の内容と前記不具合位置と前記番号と前記直線とを前記図面に表示する前記画像データを前記事務所端末に送信する、検査結果表示システム。
【発明の詳細な説明】
【技術分野】
【０００１】
本発明は、携帯端末、検査結果入力方法および検査結果入力プログラムならびに検査結果表示システムに関する。
【背景技術】
【０００２】
施工された建物の内装を検査する検査員は、発見した不具合の内容を検査現場にて紙に記入していた。
【０００３】
例えば、特開２０００−５２６７２号公報（特許文献１）には、「施工管理報告書の施工管理日報の欄に、基礎的事項記載部、施工状態表示部及び管理項目表示部を１ページにまとめて記載する。」と記載されている。
【先行技術文献】
【特許文献】
【０００４】
【特許文献１】特開２０００−５２６７２号公報
【発明の概要】
【発明が解決しようとする課題】
【０００５】
従来の方法では、検査現場にて不具合の内容を紙に記入しなければならず、検査現場での手作業によって記入する手間が発生し、作業性が良くないという問題があった。
【０００６】
本発明の目的は、検査現場にて速やかに不具合の内容を入力できるようにする技術を提供することである。
【課題を解決するための手段】
【０００７】
本願において開示される発明のうち、代表的なものの概要を簡単に説明すれば、次の通りである。
【０００８】
本発明の一実施の形態は、表示領域が第１表示領域と第２表示領域とに分割された画面を表示する表示部を有する携帯端末であって、前記第１表示領域には、図面が表示され、前記図面がタッチ操作を受け付けることで、不具合が存在する位置である不具合位置の入力を受け付ける。また、前記第２表示領域は、前記図面にてタッチ操作を受け付けた前記不具合位置ごとに対応する前記不具合の内容の入力を受け付ける。
【０００９】
また、他の実施の形態では、表示領域が第１表示領域と第２表示領域とに分割された画面を表示する表示部を有する携帯端末における検査結果入力方法であって、前記表示部により、前記第１表示領域に表示された図面がタッチ操作を受け付けることで、不具合が存在する位置である不具合位置の入力を受け付ける不具合位置入力ステップを有する。また、前記表示部により、前記第２表示領域から前記不具合位置ごとの対応する前記不具合の内容の入力を受け付ける、不具合内容入力ステップを有する。
【００１０】
また、他の実施の形態では、表示領域が第１表示領域と第２表示領域とに分割された画面を表示する表示部を有する携帯端末のコンピュータを機能させるための検査結果入力プログラムであって、前記表示部により、前記第１表示領域に表示された図面がタッチ操作を受け付けることで、不具合が存在する位置である不具合位置の入力を受け付ける不具合位置入力ステップを前記コンピュータに実行させる。また、前記表示部により、前記第２表示領域から前記不具合位置ごとの対応する前記不具合の内容の入力を受け付ける、不具合内容入力ステップを前記コンピュータに実行させる。
【００１１】
また、他の実施の形態では、携帯端末と、事務所端末と、前記携帯端末および前記事務所端末とネットワークを介して接続されるサーバと、を有する検査結果表示システムであって、前記携帯端末は、表示領域が第１表示領域と第２表示領域とに分割された画面を表示する表示部を有し、前記第１表示領域には、図面が表示され、前記図面がタッチ操作を受け付けることで、不具合が存在する位置である不具合位置の入力を受け付ける。また、前記第２表示領域は、前記図面にてタッチ操作を受け付けた前記不具合位置ごとに対応する前記不具合の内容の入力を受け付け、前記不具合位置が示された図面を表示するための画像データと前記不具合位置ごとの前記不具合の内容とを前記サーバに送信する。また、前記サーバは、受信した前記画像データと不具合位置ごとの不具合の内容とを対応付けて記憶する検査結果記憶部を有し、前記事務所端末から要求があった場合、前記検査結果記憶部から取得した前記画像データと前記不具合位置ごとの前記不具合の内容とを前記事務所端末に送信する。また、前記事務所端末は、前記サーバから受信した前記画像データと前記不具合位置ごとの前記不具合の内容とに基づき、前記不具合位置が示された前記図面とともに前記不具合位置ごとの前記不具合の内容とを表示する。
【００１２】
また、他の実施の形態では、携帯端末と、事務所端末と、前記携帯端末および前記事務所端末とネットワークを介して接続されるサーバと、を有する検査結果表示システムであって、前記携帯端末は、表示領域が第１表示領域と第２表示領域とに分割された画面を表示する表示部を有し、前記第１表示領域には、図面が表示され、前記図面がタッチ操作を受け付けることで、不具合が存在する位置である不具合位置の入力を受け付ける。また、前記第２表示領域は、前記図面にてタッチ操作を受け付けた前記不具合位置ごとに対応する前記不具合の内容の入力を受け付け、前記不具合位置の座標と前記不具合位置ごとの前記不具合の内容とを前記サーバに送信する。また、前記サーバは、受信した前記座標と前記不具合位置ごとの不具合の内容と図面とを対応付けて記憶する検査結果記憶部を有し、前記事務所端末から要求があった場合、前記検査結果記憶部から取得した前記座標と前記不具合位置ごとの前記不具合の内容と前記図面に表示する画像データを前記事務所端末に送信する。また、前記事務所端末は、前記サーバから受信した前記画像データに基づき、前記不具合位置が示された前記図面とともに前記不具合位置ごとの前記不具合の内容を表示する。
【発明の効果】
【００１３】
本願において開示される発明のうち、代表的なものによって得られる効果を簡単に説明すれば以下のとおりである。
【００１４】
本発明の一実施の形態によれば、検査現場にて速やかに不具合の内容を入力できるようになる。
【図面の簡単な説明】
【００１５】
【図１】本発明の一実施の形態における検査結果表示システムの構成例の概要を示す図である。
【図２】図１の携帯端末におけるメニュー画面の例を示す図である。
【図３】図１の携帯端末における部屋番号選択画面の例を示す図である。
【図４】図１の携帯端末における指摘入力画面の例を示す図である。
【図５】図１の携帯端末における指摘入力画面の例を示す図である。
【図６】図１の携帯端末における指摘入力画面の例を示す図である。
【図７】図１の携帯端末における指摘入力画面の例を示す図である。
【図８】図１の携帯端末における指摘入力画面の例を示す図である。
【図９】図１の携帯端末における指摘入力画面の例を示す図である。
【図１０】図１の携帯端末における指摘内容確認画面の例を示す図である。
【図１１】図１の携帯端末における指摘内容確認画面の例を示す図である。
【図１２】図１の携帯端末における指摘内容確認画面の例を示す図である。
【図１３】図１の携帯端末における指摘内容確認画面の例を示す図である。
【図１４】図１の携帯端末における指摘内容確認画面の例を示す図である。
【図１５】図１の携帯端末における指摘内容確認画面の例を示す図である。
【図１６】図１の事務所端末における検査結果検索画面の例を示す図である。
【図１７】図１の事務所端末における検査結果画面の例を示す図である。
【図１８】本発明の一実施の形態における検査結果入力処理の処理フローを示す図である。
【図１９】本発明の一実施の形態におけるカスタマイズ後の指摘内容確認画面の例を示す図である。
【図２０】本発明の一実施の形態における指摘入力画面の例を示す図である。
【図２１】本発明の一実施の形態における指摘入力画面の例を示す図である。
【図２２】本発明の一実施の形態における指摘入力画面の例を示す図である。
【図２３】本発明の一実施の形態における部屋の種別と指摘場所の各項目との対応関係を示す図である。
【図２４】本発明の一実施の形態における指摘場所と指摘内容の各項目との対応関係を示す図である。
【図２５】図１の携帯端末における指摘内容確認画面の例を示す図である。
【図２６】図１の検査結果表示システムにおける検査結果記憶部が記憶するテーブルの構成例を示す図である。
【図２７】図１の携帯端末におけるデータ管理画面の例を示す図である。
【図２８】図１の携帯端末におけるダウンロードデータ選択画面の例を示す図である。
【図２９】図１の検査結果表示システムにおける検査結果記憶部が記憶するテーブルの他の構成例を示す図である。
【図３０】図１の携帯端末における指摘入力画面の他の例を示す図である。
【図３１】図１の携帯端末における指摘内容確認画面の他の例を示す図である。
【発明を実施するための形態】
【００１６】
以下、本発明の実施の形態を図面に基づいて詳細に説明する。なお、実施の形態を説明するための全図において、同一部には原則として同一の符号を付し、その繰り返しの説明は省略する。
【００１７】
＜システム構成＞
図１は、本発明の一実施の形態における検査結果表示システムの構成例の概要を示す図である。
【００１８】
図１において、検査結果表示システムは例えば、携帯端末１００と、事務所端末３００と、これら携帯端末１００、事務所端末３００とネットワークを介して接続されるサーバ２００とを有する。
【００１９】
また、携帯端末１００、サーバ２００、事務所端末３００のコンピュータは、所定のハードウェアおよびソフトウェアにより実装される。例えば、携帯端末１００、サーバ２００、事務所端末３００は、プロセッサやメモリなどを有し、プロセッサによるメモリ上のプログラムを実行する。
【００２０】
携帯端末１００は、表示部１０１を有する。表示部１０１は、画面表示を行うとともに、ユーザからのタッチ操作を受け付けるタッチパネルとして機能する。より詳細には、表示部１０１は画面表示領域に対するタッチ操作を検出し、携帯端末１００は、タッチ操作を受け付けた位置に対応する処理を実行する。
【００２１】
サーバ２００は、部屋ごとの図面を表示するための画像データを、マンション名と部屋番号と対応付けて記憶する。そして、携帯端末１００は、指定された図面の画像データをサーバ２００からダウンロードする。そして、携帯端末１００の表示部１０１は、ダウンロードした画像データに基づき、図面を表示する。不具合を発見した検査員は、携帯端末１００の表示部１０１に表示された図面をタッチ操作することで不具合位置を入力する。また、検査員は表示部１０１をタッチ操作することで、不具合の内容を構成する各要素を入力する。その後、携帯端末１００は、不具合位置の座標と不具合位置ごとの不具合の内容とをサーバ２００に送信する。
【００２２】
サーバ２００は、携帯端末１００から送信された、不具合位置の座標と不具合位置ごとの不具合の内容と部屋番号と業者名と図面とを対応付けて検査結果記憶部２０１に記憶する。
【００２３】
事務所端末３００は、サーバ２００へ不具合位置ごとの不具合の内容の送信を要求する。その後、サーバ２００は、図面に不具合位置を示すとともに不具合の内容を表示する画像データを事務所端末３００へ送信し、事務所端末３００は、受信した画像データに基づき、検査結果を表示部３０１に表示する。
【００２４】
なお、図２１に示す操作を受け付ける場合、携帯端末１００は、タッチ操作を開始した座標Ａ２００１と、このタッチ操作を終了した座標Ｂ２００２と不具合が存在する領域２００３ごとの不具合の内容とをサーバ２００に送信するようにしてもよい。その場合、サーバ２００は、携帯端末１００から送信された座標Ａ２００１と座標Ｂ２００２と不具合の内容と部屋番号と業者名とを対応付けて検査結果記憶部２０１に記憶する。
【００２５】
＜検査結果記憶部＞
図２９は、図１の検査結果表示システムにおける検査結果記憶部２０１が記憶するテーブルの構成例を示す図である。
【００２６】
図２９に示す検査結果記憶部２０１が記憶するテーブルは、[部屋の種別]、[指摘場所]、[指摘内容] などの要素の組合せからなる不具合の内容と[部屋番号]、[不具合位置の座標]、[番号の座標]、[図面]、[業者名]、[日付]とを対応付けて記憶する。[部屋番号]は部屋番号を示す。[不具合位置の座標]は、部屋や現場の図面の左上の座標を基準（０，０）とした場合の、不具合位置の座標（ｘ座標，ｙ座標）を示す。[番号の座標]は、部屋や現場の図面の左上の座標を基準（０，０）とした場合の、不具合位置を識別するための番号の座標（ｘ座標，ｙ座標）を示す。[図面]は、部屋番号の部屋の図面を表示するための画像データである。[部屋の種別]は、「洋室」「キッチン」など、部屋の種別を示す。[指摘場所]は、「床」「天井」など、不具合が指摘された場所を示す。[指摘内容]は、「汚れ」「傷」など、指摘された不具合の内容を示す。[業者名]は、業者の名称を示す。[日付]は、サーバ２００がデータを記憶した日付を示す。
【００２７】
なお、図２６に示すように、検査結果記憶部２０１が記憶するテーブルは、[部屋の種別]、[指摘場所]、[指摘内容] などの要素の組合せからなる不具合の内容と[部屋番号]、[画像データ]、[業者名]、[日付]とを対応付けて記憶するようにしても良い。[部屋番号]は部屋番号を示す。[画像データ]は、不具合位置が示された図面を表示するための画像データである。つまり、この画像データに基づいて表示される画像は、図面とともに、図面における不具合位置を示す。[部屋の種別]は、「洋室」「キッチン」など、部屋の種別を示す。[指摘場所]は、「床」「天井」など、不具合が指摘された場所を示す。[指摘内容]は、「汚れ」「傷」など、指摘された不具合の内容を示す。[業者名]は、業者の名称を示す。[日付]は、該当する部屋番号の検査が終了し、不具合の内容の入力を完了した日付を示す。なお、データ管理画面（後述、図２７）に表示される検査結果送信ボタンがタッチ操作を受け付けた日付としても良い。また、サーバ２００がデータを記憶した日付を示すようにしてもよい。
【００２８】
また、検査結果記憶部２０１が記憶するテーブルの不具合を構成する要素は、適宜カスタマイズ可能であり、上述した要素に加えてさらに[指摘部位]などの要素を追加させることができる。
【００２９】
＜メニュー画面＞
図２は、図１の携帯端末におけるメニュー画面の例を示す図である。
【００３０】
表示部１０１が表示するメニュー画面には、検査開始ボタン２１０と、データ管理ボタン２１１とが表示される。
【００３１】
データ管理ボタン２１１がタッチ操作を受け付けると、表示部１０１は、図２７のデータ管理画面を表示する。
【００３２】
検査開始ボタン２１０がタッチ操作を受け付けると、表示部１０１は、図３の部屋番号選択画面を表示する。
【００３３】
＜部屋番号選択画面＞
図３は、図１の携帯端末１００における部屋番号選択画面の例を示す図である。
【００３４】
表示部１０１が表示する部屋番号選択画面には、部屋番号ごとに対応するボタン３０２が表示される。
【００３５】
表示部１０１は、ボタン３０２がタッチ操作を受け付けることで部屋番号の選択を受け付ける。部屋番号の選択を受け付けると、表示部１０１は、図４の指摘入力画面を表示する。
【００３６】
＜指摘入力画面＞
図４〜図９、図２０〜図２２は、図１の携帯端末１００における、指摘入力画面の例を示す図である。
【００３７】
図４に示すように表示部１０１は、表示領域が第１表示領域１０２と第２表示領域１０３とに左右に分割された指摘入力画面を表示する。
【００３８】
第１表示領域１０２には、部屋番号選択画面にて選択を受け付けた部屋番号に対応する図面４０１と、ズームボタン４０２と、ピンボタン４０３と、修正ボタン４０４と、範囲指定ボタン４１１とが表示される。
【００３９】
第２表示領域１０３には、Ｐａｇｅ１ボタン４０５と、入力内容確認リスト１００１とが表示される。
【００４０】
表示部１０１は、検査員からピンボタン４０３がタッチ操作を受け付けた後、部屋の間取り図のである図面４０１がタッチ操作を受け付けることで、不具合が存在する位置である不具合位置の入力を受け付ける。表示部１０１が、不具合位置の入力を受け付けた後、表示部１０１は、図５の指摘入力画面を表示する。
【００４１】
以下、図５〜図８にて、図４にて入力を受け付けた不具合位置に存在する不具合の内容を構成する各要素の入力を、一つずつ順番に受け付ける。
【００４２】
図５に示すように表示部１０１は、不具合位置４０８を識別するための番号４０７（この番号４０７は、１番から順に昇順に割り振られる）を第１表示領域１０２内であって図面４０１の外周を囲う領域である番号表示領域１０４に表示する。また、表示部１０１は、番号４０７から不具合位置４０８まで伸びる直線を第１表示領域１０２に表示する。
【００４３】
また、表示部１０１は、最初に入力を受け付ける要素である部屋の種別の入力候補である各項目（例えば、洋室、リビング、キッチン）をリスト表示する部屋種別リスト５０１を第２表示領域１０３に表示する。部屋種別リスト５０１に表示されたいずれかの項目がタッチ操作を受け付けることで、表示部１０１は、図４の指摘入力画面にて入力を受け付けた不具合位置４０８の部屋の種別の入力を受け付ける。表示部１０１が、項目の選択を要素の入力として受け付けた後、表示部１０１は、次に入力を受け付ける要素である指摘場所の入力候補をリスト表示する図６の指摘入力画面を表示する。
【００４４】
図６に示すように表示部１０１は、指摘場所（例えば、カウンター、壁、天井、床）を項目とする指摘場所リスト６０１を第２表示領域１０３に表示する。なお、部屋の種別と指摘場所の入力候補である各項目とは、図２３に示すように予め対応付けて、携帯端末１００の図示しない記憶部に記憶されている。そして、指摘場所の各項目は、図５の指摘入力画面にて入力を受け付けた部屋の種別に関連するものであり、例えば、図５の指摘入力画面にて、「キッチン」を入力として受け付けた場合、「キッチン」に対応する「カウンター」「壁」「天井」「床」を各項目とする指摘番号リスト６０１が表示される。また、部屋の種別と指摘場所の各項目とをどのように対応付けるかは、ユーザが適宜設定することができる。指摘場所リスト６０１に表示されたいずれかの項目がタッチ操作を受け付けることで、表示部１０１は、図４の指摘入力画面にて入力を受け付けた不具合位置４０８の指摘場所の選択を受け付ける。表示部１０１が、指摘場所の選択を受け付けた後、表示部１０１は、次に入力を受け付ける要素である指摘内容の入力候補をリスト表示する図７の指摘入力画面を表示する。
【００４５】
図７に示すように表示部１０１は、指摘内容（例えば、傷、汚れ、穴）を項目とする指摘内容リスト７０１を第２表示領域１０３に表示する。なお、指摘場所と指摘内容の入力候補である各項目とは、図２４に示すように予め携帯端末１００の記憶部に対応付けられて記憶されている。そして、指摘内容の各項目は、図６の指摘入力画面にて、入力を受け付けた指摘場所に関連するものであり、例えば、図６の指摘入力画面にて「床」を入力として受け付けた場合、「床」に対応する「傷」「汚れ」「穴」を各項目とする指摘内容リスト７０１が表示される。また、指摘場所と指摘内容の各項目とをどのように対応付けるかは、ユーザが適宜設定することができる。指摘内容リスト７０１に表示されたいずれかの項目がタッチ操作を受け付けることで、表示部１０１は、図４の指摘入力画面にて入力を受け付けた不具合位置４０８の指摘内容の選択を受け付ける。表示部１０１が、指摘内容の選択を受け付けた後、表示部１０１は、図８の指摘入力画面を表示する。
【００４６】
図８に示すように表示部１０１は、業者名（例えば、Ａ業者、Ｂ業者、Ｃ業者）を項目とする業者名リスト８０１を第２表示領域１０３に表示する。業者名の各項目とをどのように対応付けるかは、ユーザが適宜設定することができる。業者名リスト８０１に表示されたいずれかの項目がタッチ操作を受け付けることで、表示部１０１は、是正を担当する業者名の選択を受け付ける。表示部１０１が、業者名の選択を受け付けた後、表示部１０１は、図４〜図８の指摘入力画面にて選択を受け付けた各項目を不具合の内容を構成する要素の入力を受け付け、図１０の指摘内容確認画面を表示する。
【００４７】
また、表示部１０１は、検査員から範囲指定ボタン４１１がタッチ操作を受け付けた後、図面４０１が図２０に示すように、指が、座標Ａ２００１にてタッチを開始し、このタッチした状態を維持したまま座標Ｂ２００２まで移動し座標Ｂにて表示部１０１から離れる操作を受け付けることで、不具合が存在する領域２００３の入力を受け付ける。この不具合が存在する領域２００３は、図２１にて示すように座標Ａ２００１と座標Ｂ２００２とを結んだ直線を対角線とする長方形内の範囲が該当する。その後、図２２に示すように、表示部１０１は、この領域２００３の部屋の種別の選択を受け付ける。
【００４８】
なお、表示部１０１は、タッチ操作にて入力を受け付けることに加えて、図９に示すように、手書きで文字入力し、テキスト変換した結果を受け付けることもできる。また、選択を受け付けた部屋の種別における指摘場所を撮像した写真を添付することもできる。
【００４９】
また、図面４０１が、部屋の間取り図であることに替えて、図３０に示すように、現場付近を示す現場平面図である図面３００１を携帯端末１００の表示部１０１に表示されるようにしても良い。図３０の例では、表示部１０１は、検査員からピンボタン３００２がタッチ操作を受け付けた後、図面３００１がタッチ操作を受け付けることで、不具合が存在する位置である不具合位置３００８の入力を受け付け、入力を受け付けた不具合位置３００８に存在する不具合の内容を構成する各要素（工区、場所、指摘内容）の入力を、一つずつ順番に受け付ける。
【００５０】
また、図４〜図８の指摘入力画面にて選択を受け付ける不具合の内容を構成する各要素は、適宜カスタマイズ可能である。例えば、上述した部屋の種別、指摘場所、指摘内容に加えてさらに指摘部位を追加させて記憶部に記憶させるようにしても良い。
【００５１】
さらに、図２３、図２４に示す対応付けは、サーバ２００の図示しない記憶部に記憶し、携帯端末１００にダウンロードさせるようにしても良い。
【００５２】
＜指摘内容確認画面＞
図１０〜図１５は図１の携帯端末１００における指摘内容確認画面の例を示す図である。
【００５３】
図１０は、１箇所の不具合位置４０８とこの不具合位置４０８に対応する不具合の内容の入力を受け付けた後に表示される指摘内容確認画面の例を示す。
【００５４】
表示部１０１は、不具合位置４０８から番号表示領域１０４までの距離が最短であって、他の番号４０７が表示されていない領域を抽出する。そして、表示部１０１は、番号４０７を、不具合位置４０８から番号表示領域１０４までの距離が最短であって、他の番号４０７が表示されていない領域に表示する。図１０に示すように表示部１０１は、第１表示領域１０２に１つの番号４０７と、この番号４０７から不具合位置４０８まで伸びる直線とを表示する。
【００５５】
また、表示部１０１は、第２表示領域１０３に第１表示領域１０２に表示されている番号４０７と不具合の内容とを対応付けた指摘内容確認リスト１００１を表示する。
【００５６】
図１１は、図１０の状態から、新たに１箇所の不具合位置４０８とこの不具合位置４０８に対応する不具合の内容の入力を受け付けた後に表示される指摘内容確認画面の例を示す。図１１の例では、新たに入力を受け付けた不具合位置４０８から番号表示領域１０４までの距離が最短であって、他の番号４０７である番号「１」が表示されていない領域は、番号「１」が表示されている領域の下方に存在する。よって、表示部１０１は、この領域を抽出し、新たに入力を受け付けた不具合位置４０８の番号４０７である番号「２」を、番号「１」が表示されている領域の下方の領域に表示する。また、表示部１０１は、これら番号４０７（番号「１」、番号「２」）ごとに番号４０７から不具合位置４０８まで伸びる直線を表示する。また、表示部１０１は、第２表示領域１０３に第１表示領域１０２に表示されている２つの番号４０７ごとに番号４０７と不具合の内容とを対応付けた指摘内容確認リスト１００１を表示する。
【００５７】
図１２は、図１１の状態から、新たに１箇所の不具合位置４０８とこの不具合位置４０８に対応する不具合の内容の入力を受け付けた後に表示される指摘内容確認画面の例を示す。図１２の例では、新たに入力を受け付けた不具合位置４０８から番号表示領域１０４までの距離が最短であって、他の番号４０７である番号「１」と番号「２」とが表示されていない領域は、番号「１」が表示されている領域の上方に存在する。よって、表示部１０１は、この領域を抽出し、新たに入力を受け付けた不具合位置４０８の番号４０７である番号「３」を、番号「１」が表示されている領域の上方の領域に表示する。また、表示部１０１は、第２表示領域１０３に第１表示領域１０２に表示されている３つの番号４０７ごとに番号４０７と不具合の内容とを対応付けた指摘内容確認リスト１００１を表示する。
【００５８】
図１３は、図１２の状態から、新たに１箇所の不具合位置４０８とこの不具合位置４０８に対応する不具合の内容の入力を受け付けた後に表示される指摘内容確認画面の例を示す。図１３の例では、新たに入力を受け付けた不具合位置４０８から番号表示領域１０４までの距離が最短であって、他の番号４０７である番号「１」と番号「２」と番号「３」とが表示されていない領域は、番号「１」が表示されている領域の左側に存在する。よって、表示部１０１は、この領域を抽出し、新たに入力を受け付けた不具合位置４０８の番号４０７である番号「４」を、番号「１」が表示されている領域の左側の領域に表示する。また、表示部１０１は、第２表示領域１０３に第１表示領域１０２に表示されている４つの番号４０７ごとに番号４０７と不具合の内容とを対応付けた指摘内容確認リスト１００１を表示する。
【００５９】
図１４は、図１３の状態から、さらに５箇所の不具合位置４０８（合計で９箇所）とこの不具合位置４０８に対応する不具合の内容の入力を受け付けた後に表示される指摘内容確認画面の例を示す。ここで、表示部１０１が一度に番号表示領域１０４および指摘内容確認リスト１００１に表示する番号４０７の数の上限値は所定数（図14の場合は８個）である。なお、この番号４０７の数の上限値はユーザが適宜設定することができる。例えば、番号４０７の上限値を３０個とすることもできる。そして、この上限値に達した後に不具合位置４０８とこの不具合位置４０８に対応する不具合の内容の入力を受け付けた場合、表示部１０１は、表示切替ボタンであるＰａｇｅ２ボタン４０６を第２表示領域１０３に表示する。表示切替ボタンであるＰａｇｅ２ボタン４０６がタッチ操作を受け付けた後、表示部１０１は、図１５の指摘内容確認画面を表示する。
【００６０】
図１５の例では、表示部１０１は、第１表示領域１０２に上限値に達した後に入力を受け付けた不具合位置４０８の番号４０７である番号「９」と、この番号４０７から不具合位置４０８まで伸びる直線とを表示する。また、表示部１０１は、第２表示領域１０３に第１表示領域１０２に表示されている番号４０７と不具合の内容とを対応付けた指摘内容確認リスト１００１を表示する。
【００６１】
また、全件ボタン４１０がタッチ操作を受け付けた場合、表示部１０１は、図２５の指摘内容確認画面を表示する。図２５の例では、表示部１０１は、第１表示領域１０２に今までに入力を受け付けたすべての不具合位置４０８の番号４０７と、これら番号４０７から不具合位置４０８まで伸びる直線とを表示する。また、表示部１０１は、第２表示領域１０３に第１表示領域１０２に表示されている番号４０７と不具合の内容とを対応付けた指摘内容確認リスト１００１を表示する。
【００６２】
また、図面４０１が、部屋の間取り図であることに替えて、図３１に示すように、現場平面図である図面３００１を携帯端末１００の表示部１０１に表示されるようにしても良い。その場合、番号３００７ごとに番号３００７と不具合の内容とを対応付けた指摘内容確認リスト３１０１を表示する。
【００６３】
なお、指摘内容確認リスト１００１は適宜カスタマイズ可能である。例えば、図１９に示すように、上述した部屋の種別、指摘場所、指摘内容に加えて、新たな要素としてさらに指摘部位を追加させることができる。
【００６４】
＜データ管理画面＞
図２７は、図１の携帯端末１００におけるデータ管理画面の例を示す図である。
【００６５】
図２７において、表示部１０１が表示するデータ管理画面には、検査結果送信ボタン２７０１と、ダウンロードデータ選択ボタン２７０２とが表示される。
【００６６】
検査結果送信ボタン２７０１がタッチ操作を受け付けると、携帯端末１００は、番号４０７と不具合位置４０８とこの番号４０７から不具合位置４０８まで伸びる直線とが示された図面４０１を表示するための画像データと、入力を受け付けた不具合位置４０８ごとの不具合の内容とを、部屋番号とともにサーバ２００に送信する。その後、サーバ２００は、受信した部屋番号と画像データと不具合位置４０８ごとの不具合の内容とを対応付けて検査結果記憶部２０１のテーブルに記憶する。
【００６７】
ダウンロードデータ選択ボタン２７０２がタッチ操作を受け付けると、表示部１０１は、図２８のダウンロードデータ選択画面を表示する。
【００６８】
＜ダウンロードデータ選択画面＞
図２８は、図１の携帯端末１００におけるダウンロードデータ選択画面の例を示す図である。
【００６９】
図２８において、表示部１０１が表示するダウンロードデータ選択画面には、全基本データボタン２８０１と、検査基本データボタン２８０２と、図面データボタン２８０３と、検査進捗ボタン２８０４とが表示される。
【００７０】
検査基本データボタン２８０２がタッチ操作を受け付けると、携帯端末１００は、不具合の内容を構成する各要素の内容や、部屋番号などの情報をサーバ２００からダウンロードする。
【００７１】
図面データボタン２８０３がタッチ操作を受け付けると、携帯端末１００は、サーバ２００から各図面４０１の画像データをダウンロードする。
【００７２】
検査進捗ボタン２８０４がタッチ操作を受け付けると、携帯端末１００は、サーバ２００から、部屋番号ごとに部屋が検査済みか、検査済みでないか、是正済みであるかを示すデータをダウンロードする。
【００７３】
全基本データボタン２８０１がタッチ操作を受け付けると、表示部１０１は、帯端末１００は、不具合の内容を構成する各要素の内容や、部屋番号などの情報、各図面４０１、部屋番号ごとに部屋が検査済みか、検査済みでないか、是正済みであるかを示すデータをダウンロードする。
【００７４】
＜検査結果検索画面＞
図１６は、図１の事務所端末３００における検査結果検索画面の例を示す図である。表示部３０１が表示する検査結果検索画面には、マンション名の選択を受け付けるためのリストボックス１６０１と、部屋番号の選択を受け付けるためのリストボックス１６０２とが表示される。図１６の検査結果検索画面にて各リストボックス１６０１，１６０２から選択を受け付けることで、表示部３０１は、検査結果の検索条件の入力を受け付ける。その後、表示部３０１は、入力を受け付けた検索条件に対応する検査結果画面（後述、図１７）を表示する。図１７に示す検査結果画面には、検索条件に対応する不具合位置４０８が示された画像と、不具合位置４０８ごとの検査結果とが表示される。
【００７５】
なお、検索条件として、業者名の入力を受け付け、検索条件に対応する業者名ごとの指摘内容をソートして表示部３０１に表示するようにしてもよい。また、検索条件として検査日、マンションのフロア（例えば、１階、２階など）の入力をうけつけ、検索条件に対応する指摘内容をソートして表示部３０１に表示するようにしてもよい。
【００７６】
＜検査結果画面＞
図１７は、図１の事務所端末３００における検査結果画面の例を示す図である。表示部３０１が表示する検査結果画面には、検索条件に対応する不具合位置４０８が示された画像１７０１と、不具合位置４０８ごとの不具合の内容１７０２とが表示される。
【００７７】
＜検査結果入力処理＞
図１８は、本発明の一実施の形態における検査結果入力処理の処理フローを示す図である。
【００７８】
まず、Ｓ１８０１にて、携帯端末１００の表示部１０１は、部屋番号選択画面（前述、図３）を表示する。
【００７９】
次に、Ｓ１８０２にて、表示部１０１は、検査員から部屋番号の選択を受け付ける。
【００８０】
次に、Ｓ１８０３にて、携帯端末１００は、Ｓ１８０２にて選択を受け付けた部屋番号に対応する図面４０１を第１表示領域１０２に表示する。なお、図面４０１は、携帯端末１００により本検査結果入力処理が開始される前に予めサーバ２００からダウンロードされている。また、図面４０１が予めダウンロードされていることに替えて、携帯端末１００が、Ｓ１８０２にて、選択を受け付けた部屋番号に対応する図面４０１の画像データをＳ１８０３にて、サーバ２００からダウンロードするようにしてもよい。
【００８１】
次に、Ｓ１８０４にて、表示部１０１は、図４の指摘入力画面にてピンボタン４０３のタッチ操作を受け付ける。ピンボタン４０３のタッチ操作を受け付けた後、図面４０１がタッチ操作を受け付けることで、不具合が存在する位置である不具合位置４０８の入力を受け付ける。
【００８２】
次に、Ｓ１８０５にて、表示部１０１は、図４〜図８の指摘入力画面にて選択を受け付けた各項目を、不具合の内容を構成する各要素の入力として受け付ける。
【００８３】
次に、Ｓ１８０６にて、表示部１０１は、指摘内容確認画面を表示する。
【００８４】
次に、Ｓ１８０７にて、検査員がすべての不具合位置４０８について不具合の内容の入力が完了していないと判断する場合（Ｓ１８０７−Ｎｏ）、Ｓ１８０４に進む。一方、検査員がすべての不具合位置４０８について不具合の内容の入力が完了したと判断する場合（Ｓ１８０７−Ｙｅｓ）、Ｓ１８０８へ進む。なお、検査員は、指摘内容確認画面に表示された入力内容確認リスト１００１を確認することで、すべての不具合位置４０８について不具合の内容の入力が完了したか否かを判断できる。
【００８５】
次に、Ｓ１８０８にて、検査員がすべての部屋について検査が終了していないと判断する場合（Ｓ１８０８−Ｎｏ）、携帯端末１００の表示部１０１は、所定の操作を受け付けることで部屋番号選択画面（前述、図３）へ戻る。なお、部屋番号選択画面へは、メニュー画面（前述、図２）へ戻り、その後、メニュー画面に表示される検査開始ボタン２１０がタッチ操作を受け付けことで、部屋番号選択画面を表示するようにしても良い。
【００８６】
一方、検査員がすべての部屋について検査が終了していると判断する場合（Ｓ１８０８−Ｙｅｓ）、Ｓ１８０９へ進む。
【００８７】
次に、Ｓ１８０９にて、携帯端末１００の表示部１０１は、メニュー画面（前述、図２）へ戻り、その後、メニュー画面に表示されるデータ管理ボタン２１１がタッチ操作を受け付けると、表示部１０１は、データ管理画面（前述、図２７）を表示する。その後、データ管理画面に表示される検査結果送信ボタン２７０１がタッチ操作を受け付けると、携帯端末１００は、不具合位置４０８の座標と不具合位置４０８ごとの不具合の内容とを、部屋番号とともにサーバ２００に送信する。その後、サーバ２００は、受信した部屋番号から特定される図面４０１と受信した不具合位置４０８の座標とを対応付け、対応付けた図面４０１と不具合位置４０８とに基づき、番号４０７の座標を決定する。より詳細には、サーバ２００は、受信した不具合位置４０８から図面４０８の外枠までの最短距離を算出し、算出した最短距離に基づき、図面４０８の外枠の一の座標を番号４０７の座標として決定し、不具合位置４０８から番号４０７まで伸びる直線を生成する。そして、サーバ２００は、受信した部屋番号と不具合位置４０８ごとの不具合の内容と不具合位置４０８の座標と図面４０１と、決定した番号４０７の座標とを対応付けて検査結果記憶部２０１のテーブル（前述、図２９）に記憶する。また、事務所端末３００は、サーバ２００に検査結果の送信を要求し、その後、サーバ２００は、不具合位置４０８ごとの不具合の内容と不具合位置４０８の座標と番号４０７の座標と番号４０７から不具合位置４０８まで伸びる直線とに基づき、図面４０１に番号４０７と不具合位置４０８と直線とを表示するとともに不具合の内容を表示する画像データを事務所端末３００に送信する。事務所端末３００は、受信した画像データに基づき、検査結果を表示部３０１に表示する。
【００８８】
なお、携帯端末１００は、不具合位置４０８の座標と番号４０７の座標と、不具合位置４０８ごとの不具合の内容とを、部屋番号ととともにサーバ２００に送信するようにしても良い。その場合、サーバ２００は、受信した部屋番号と不具合位置４０８ごとの不具合の内容と不具合位置４０８の座標と番号４０７の座標と、部屋番号から特定される図面４０１とを対応付けて検査結果記憶部２０１のテーブル（前述、図２９）に記憶するようにしても良い。
【００８９】
また、Ｓ１８０９にて、携帯端末１００は、番号４０７と不具合位置４０８とこの番号４０７から不具合位置４０８まで伸びる直線とが示された図面４０１を表示するための画像データと、入力を受け付けた不具合位置４０８ごとの不具合の内容とを、部屋番号とともにサーバ２００へ送信し、その後、サーバ２００は、受信した部屋番号と画像データと不具合位置４０８ごとの不具合の内容とを対応付けて検査結果記憶部２０１のテーブル（前述、図２６）に記憶し、事務所端末３００は、サーバ２００に検査結果の送信を要求し、その後、サーバ２００から受信した検査結果を表示部３０１に表示するようにしてもよい。
【００９０】
なお、Ｓ１８０４が不具合位置入力ステップに相当し、Ｓ１８０５が不具合内容入力ステップに相当する。
【００９１】
＜本実施の形態の効果＞
以上説明した本実施の形態によれば、タッチ操作を受け付けることで、不具合位置４０８と、不具合位置４０８ごとに対応する不具合の内容の入力を受け付け、これによって、検査現場にて速やかに不具合の内容を入力できるようになる。
【００９２】
また、タッチ操作を受け付けた項目を不具合の内容を構成する要素の入力として受け付け、入力を受け付けた後に次に入力を受け付ける要素の入力候補をリスト表示することで、タッチ操作だけで不具合の内容を入力できるようになる。
【００９３】
また、不具合位置４０８を識別するための番号４０７と、番号４０７から不具合位置４０８まで伸びる直線とを第一表示領域１０２に表示することで、同一箇所（例えば、床と天井）に存在する不具合を識別できるようになる。
【００９４】
また、第１表示領域１０２であって図面４０１の外周を囲う領域である番号表示領域１０４に番号４０７を表示することで、図面４０１の表示領域と重ならない領域に不具合位置４０８を識別するための番号４０７を表示できるようになる。
【００９５】
また、不具合位置４０８から番号表示領域１０４までの距離が最短の領域に番号４０７を表示することで、不具合位置４０８と番号４０７との対応関係を把握しやすくなる。
【００９６】
また、第２表示領域１０３に番号４０７と不具合の内容とを対応付けて表示することで、第１表示領域１０２に表示された不具合位置４０８と不具合の内容との対応関係を把握しやすくなる。
【００９７】
また、所定数未満の数の不具合位置４０８の番号４０７だけを一度に表示し、所定数を超えた以降に入力を受け付けた不具合位置４０８の番号４０７については、表示切替ボタンが操作を受け付けた場合に表示することで、膨大な数の番号４０７が一度に番号表示領域１０４に表示され、不具合位置４０８と番号４０７との対応関係が把握しにくくなることを防止できるようになる。
【００９８】
また、番号４０７とカスタマイズ後の不具合の内容とを対応付けて表示できるようになる。
【００９９】
また、不具合が存在する領域２００３の入力を受け付けることで、一定の領域に渡って存在する不具合の範囲についても入力できるようになる。
【０１００】
さらに、不具合位置４０８が示された図面４０１とともに不具合位置４０８ごとの不具合の内容をサーバ２００の検査結果記憶部２０１が記憶することで、事務所端末３００の表示部３０１が不具合位置４０８が示された図面４０１とともに不具合位置４０８ごとの不具合の内容を表示できるようになる。
【０１０１】
また、手書きでの入力を受け付け、テキスト変換した結果を要素の入力として受け付けることで、入力候補が存在しないような不具合の要素についても、その内容を入力できるようになる。
【０１０２】
以上、本発明によってなされた発明を実施の形態に基づき具体的に説明したが、本発明は前記実施の形態に限定されるものではなく、その要旨を逸脱しない範囲で種々変更可能であることはいうまでもない。例えば、携帯端末１００は、タブレット端末以外にも、スマートフォン等の様々な形態の携帯端末１００を全て含むものである。また、図面４０１が二次元で表示されることに替えて、三次元で表示されるようにしても良い。
【０１０３】
また、手書きで不具合の内容の入力を受け付けることに替えて、音声で入力するようにしても良い。さらに、事務所端末３００の表示部３０１が不具合位置４０８ごとの不具合の内容１７０２とを表示することに替えて、音声で不具合位置４０８ごとの不具合の内容１７０２を出力するようにしても良い。
【符号の説明】
【０１０４】
１００    携帯端末
１０１    表示部
１０２，３１０２  第１表示領域
１０３，３１０３  第２表示領域
１０４，３１０４  番号表示領域
２００    サーバ
２０１    検査結果記憶部
２１０    検査開始ボタン
２１１    データ管理ボタン
３００    事務所端末
３０１    表示部
３０２    ボタン
４０１，３００１  図面
４０２，３００２  ズームボタン
４０３，３００３  ピンボタン
４０４，３００４  修正ボタン
４０５    Ｐａｇｅ１ボタン
４０６    Ｐａｇｅ２ボタン
４０７，３００７  番号
４０８，３００８  不具合位置
４１０    全件ボタン
４１１，３０１１  範囲指定ボタン
５０１    部屋種別リスト
６０１    指摘場所リスト
７０１    指摘内容リスト
１００１，３１０１  指摘内容確認リスト
１６０１，１６０２  リストボックス
１７０１  画像
１７０２  不具合の内容
２００１  座標Ａ
２００２  座標Ｂ
２００３  領域
２８０１  全基本データボタン
２８０２  検査基本データボタン
２８０３  図面データボタン
２８０４  検査進捗ボタン
３００１  現場平面図
３８０１  工区リスト
【図１】
2015011519.tif 000003
【図２】
2015011519.tif 000004
【図３】
2015011519.tif 000005
【図４】
2015011519.tif 000006
【図５】
2015011519.tif 000007
【図６】
2015011519.tif 000008
【図７】
2015011519.tif 000009
【図８】
2015011519.tif 000010
【図９】
2015011519.tif 000011
【図１０】
2015011519.tif 000012
【図１１】
2015011519.tif 000013
【図１２】
2015011519.tif 000014
【図１３】
2015011519.tif 000015
【図１４】
2015011519.tif 000016
【図１５】
2015011519.tif 000017
【図１６】
2015011519.tif 000018
【図１７】
2015011519.tif 000019
【図１８】
2015011519.tif 000020
【図１９】
2015011519.tif 000021
【図２０】
2015011519.tif 000022
【図２１】
2015011519.tif 000023
【図２２】
2015011519.tif 000024
【図２３】
2015011519.tif 000025
【図２４】
2015011519.tif 000026
【図２５】
2015011519.tif 000027
【図２６】
2015011519.tif 000028
【図２７】
2015011519.tif 000029
【図２８】
2015011519.tif 000030
【図２９】
2015011519.tif 000031
【図３０】
2015011519.tif 000032
【図３１】
2015011519.tif 000033